(57)【要約】      （修正有）【課題】虫歯等で歯牙部が欠損した場合に、容易に歯根部の歯牙欠損を補綴することにある。【解決手段】歯を抜髄してその歯冠部４を切断し、該歯冠部４に対応する歯髄コア５を歯型石膏模型を介して形成するとともに、歯根部２の抜髄部６に連通して所要の充填材８を充填可能に抜髄部連通孔７を上記歯髄コア５に設けている。分岐した歯根部２に対応して歯髄コア５に抜髄部連通孔７をそれぞれ開口でき、歯髄コア５の抜髄部連通孔７に補強用ポスト９を挿入して補強することが好ましい。【選択図】図５
2017127583.tif 000002
【特許請求の範囲】
【請求項１】
歯を抜髄してその歯冠部を切断し、該歯冠部に対応する歯髄コアを歯型石膏模型を介して形成するとともに、歯根部の抜髄部に連通して所要の充填材を充填可能に抜髄部連通孔を上記歯髄コアに設けたことを特徴とする抜髄部連通の歯髄コア。
【請求項２】
分岐した歯根部の抜髄部に対応して歯髄コアに抜髄部連通孔をそれぞれ開口したことを特徴とする請求項１に記載の抜髄部連通の歯髄コア。
【請求項３】
歯髄コアの抜髄部連通孔に補強用ポストを挿入するようにしたことを特徴とする請求項１または２に記載の抜髄部連通の歯髄コア。
【発明の詳細な説明】
【技術分野】
【０００１】
本発明は、歯科分野における抜髄部連通の歯髄コアに関するものである。
【背景技術】
【０００２】
従来、虫歯等で歯が欠損したり、歯の一部が喪失した場合、特開２００４−６５５７９号公報や特開２０１１−７８４８９号公報のように歯根部に支台を形成し、欠損したり、喪失した歯部に対応して補完する補綴物を歯型石膏模型で成形し、これを歯科用接着剤で支台に固定して装着する治療が行なわれている。
【先行技術文献】
【特許文献】
【０００３】
【特許文献１】特開２００４−６５５７９号公報
【特許文献２】特開２０１１−７８４８９号公報
【発明の開示】
【発明が解決しようとする課題】
【０００４】
しかし、歯冠部がなくて、歯根上部を介して補綴物を接着固定する場合、歯根部に補強用ポストを充填材を介して植設し、その歯根部に支台を築盛して支台を台錐形状に削り出し、歯型石膏模型で成形した補綴物を接着して装着しているものであった。
【０００５】
これらの治療は、手間と時間がかかるもので、口腔内でレジンコアすべてを作ってしまうことも実施されているが、歯冠部の形を作るのが非常に難しいものであるとともに、臼歯等のように下部が分岐した歯根の抜髄部の歯髄部には、レジンコアによる一体成形物を挿入することができなく、歯髄部にアンダーカット部が生じることが避けられなかった。
【０００６】
そのため、歯冠部がなくなった場合に、容易に歯根上部に歯牙欠損部を補綴することが課題であった。
【課題を解決するための手段】
【０００７】
本発明は、上記のような点に鑑みたもので、上記の課題を解決するために、歯を抜髄してその歯冠部を切断し、該歯冠部に対応する歯髄コアを歯型石膏模型を介して形成するとともに、歯根部の抜髄部に連通して所要の充填材を充填可能に抜髄部連通孔を上記歯髄コアに設けたことを特徴とする抜髄部連通の歯髄コアを提供するにある。
【０００８】
また、分岐した歯根部の抜髄部に対応して歯髄コアに抜髄部連通孔をそれぞれ開口したことを特徴とする抜髄部連通の歯髄コアを提供するにある。
【０００９】
さらに、歯髄コアの抜髄部連通孔に補強用ポストを挿入するようにしたことを特徴とする抜髄部連通の歯髄コアを提供するにある。
【発明の効果】
【００１０】
本発明にあっては、特許請求の範囲の請求項１のように、歯を抜髄してその歯冠部を切断し、該歯冠部に対応する歯髄コアを歯型石膏模型を介して形成するとともに、歯根部の抜髄部に連通して所要の充填材を充填可能に抜髄部連通孔を上記歯髄コアに設けたことによって、歯冠部がなくなった場合、その歯冠部に対応して歯型石膏模型を介して歯髄コアを形成して、その歯髄コアの抜髄部連通孔から充填材を注入して歯根部の抜髄部に充填して歯髄コアと一体に形成でき、容易に歯根上部に歯牙欠損部を補綴することができる。
【００１１】
また、請求項２のように、分岐した歯根部の抜髄部に対応して歯髄コアに抜髄部連通孔をそれぞれ開口したことによって、臼歯等の分岐した歯根部の抜髄部に歯髄コアの抜髄部連通孔からそれぞれ充填材を注入して歯根部の抜髄部に充填して歯髄コアと一体的に形成でき、容易に歯根部に歯牙欠損部を補綴することができる。
【００１２】
さらに、請求項３のように、歯髄コアの抜髄部連通孔に補強用ポストを挿入するようにしたことによって、歯根部の抜髄部に補強用ポストを挿入して補強することができ、歯髄コアを歯根部に強固に植設することができる。
【図面の簡単な説明】
【００１３】
【図１】本発明の対象とする歯の横断面図、
【図２】同上の一実施例の歯髄コア部の説明用の横断面図、
【図３】同上の歯髄コアを装着して充填材を充填した説明用の横断面図、
【図４】同上の他の実施例の歯髄コア部の説明用の横断面図、
【図５】同上の歯髄コアを装着して充填材を充填した説明用の横断面図、
【発明を実施するための形態】
【００１４】
本発明の抜髄部連通の歯髄コアは、歯を抜髄してその歯冠部を切断し、該歯冠部に対応する歯髄コアを歯型石膏模型を介して形成するとともに、歯根部の抜髄部に連通して所要の充填材を充填可能に抜髄部連通孔を上記歯髄コアに設けたことを特徴としている。
【００１５】
臼歯等の歯１は、図１のように前歯、犬歯、臼歯に適用できるもので、図２、図３のように虫歯等で歯牙部を欠損した歯について、歯根部２の歯髄３を抜髄し、歯冠部４を切断して、歯根部２の上面に歯髄コア５を補綴して治療するものである。
【００１６】
歯根部２は、抜髄して図２のように水平状等に適宜に切断し、その欠損した該歯冠部４に対応して歯型石膏模型を介して所要の歯科用の硬質レジン等で歯髄コア５を成形するようにしている。
【００１７】
この歯髄コア５は、図２のように歯根部２に装着できるように歯根部２の抜髄した抜髄部６に連通する所要径の抜髄部連通孔７を歯髄コア５に上面から下面にわたって貫通状態に開口し、歯髄コア５の抜髄部連通孔７から所要の歯科用の充填材８を歯根部２の抜髄部６に注入して充填して装着できるようにしている。なお、歯髄コア５を挿入する前に所要量の歯科用の充填材８を注入しておくことができる。
【００１８】
また、歯髄コア５の抜髄部連通孔７から補強用ポスト９を挿入するようにし、図３のように歯根部２の抜髄部６に所定径のファイバーやセラミックス等の補強用ポスト９を一体的に挿着し、歯髄コア５を歯根部２の上に強固に植設するようにしている。
【００１９】
臼歯のような歯根部２が分岐したものについては、図４のように分岐した歯髄部３の抜髄部６に対応して下部を分岐した歯髄コア５に抜髄部連通孔７をそれぞれ開口して、分岐した歯根部２の抜髄部６に歯髄コア５の抜髄部連通孔７からそれぞれ歯科用の充填材８を注入して歯根部２の抜髄部６に充填するようにししいる。
【００２０】
臼歯のような歯根部２が分岐したものについて、図４のように歯髄コア５の下部を抜髄部６に挿入可能に所要の長さの分岐状態とし、分岐した歯髄部３の抜髄部連通孔７からそれぞれ歯科用の充填材８を注入して歯根部２の抜髄部６に充填するようにして歯髄部６にアンダーカット部が生じないようにしている。そして、上記と同様に図５のようにファイバーやセラミックス等の補強用ポスト８を挿入し、歯髄コア５と一体的に形成して歯根部２に歯牙欠損部を補綴するようにしている。
【００２１】
なお、歯根部２の上面を切頭台錐形状の凸状に突き出して所要径に切削し、歯髄コア２の下面部を帽子状の凹状に凹ませて所要径に切削し、歯根部２の上面の切頭台錐形状の凸状部に歯髄コア２の下面部の凹状部を嵌合して補綴するなど、本発明の上記した趣旨にもとずいて適宜に実施することができるものである。
【実施例】
【００２２】
図２、図３は、本発明の一実施例を示すものである。前歯等の歯髄コア５は、図のように虫歯で歯牙部が欠損したもので、その歯根部２の歯髄３を抜髄し、歯冠部４を水平状に切断し、欠損した該歯冠部４に対応して歯型石膏模型を介して歯科用の硬質レジンで歯髄コア５を成形し、歯根部２の上面に歯牙欠損部を歯髄コア５で補綴して治療するようにしたものである。
【００２３】
歯髄コア５は、図２のように歯根部２の抜髄した抜髄部６に連通する所要径の抜髄部連通孔７を歯髄コア５に上面から下面にわたって貫通状態に開口していて、歯髄コア５の抜髄部連通孔７から歯科用の充填材８を歯根部２の抜髄部６に注入して充填するようにしている。
【００２４】
虫歯で欠損した歯１を治療するには、図２のようにその歯根部２の歯髄３を抜髄し、上記歯冠部４を水平状に切断し、欠損した該歯冠部４に対応して歯型石膏模型を介して抜髄部６に連通する所要径の抜髄部連通孔７を貫通する歯科用の歯髄コア５を硬質レジンで成形する。
【００２５】
そして、図３のように歯根部２に歯髄コア５の下部を挿入して、歯根部２の上面に歯髄コア５を接合し、歯髄コア５の抜髄部連通孔７から歯科用の充填材８を歯根部２の抜髄部６にインジェクターで注入し、歯髄コア５の抜髄部連通孔７からフアイバーポストの補強用ポスト９を挿入して所定長さに切断し、歯根部２の抜髄部６にフアイバーポストの補強用ポスト９を一体的に挿着し、歯髄コア５を歯冠部４に強固に植設する。
【００２６】
このように歯髄コア５を歯冠部４に植設し、歯冠部４に所要のクラウンの歯冠補綴物１０を被覆して治療を終えるものである。そのため、歯根部がなくなった歯１に対して、歯髄コア５の抜髄部連通孔７から充填材８を注入して歯根部２の抜髄部６に充填して歯髄コア５と一体的に形成でき、容易に歯根部２を補綴することができる。
【００２７】
図４、図５は、本発明の他の実施例を示すものである。臼歯等の歯髄コア５は、図４のように歯根部２が分岐したもので、歯髄コア５の下部を抜髄部６に挿入可能に所要の長さの分岐状態とし、分岐した歯髄部３の抜髄部連通孔７からそれぞれ歯科用の充填材８を注入して歯根部２の抜髄部６に充填するようにしたものである。
【００２８】
本実施例にあっても、図５のように歯根部２の分岐部に歯髄コア５の所定長さとした下部を挿入して、歯根部２の上面に歯髄コア５を接合し、歯髄コア５の抜髄部連通孔７から歯科用の充填材８を歯根部２の抜髄部６にインジェクターでそれぞれ注入し、歯髄コア５の抜髄部連通孔７からフアイバーポストの補強用ポスト９を挿入し、歯根部２の抜髄部６にフアイバーポストの補強用ポスト９を一体的に挿着して充填状態とし、歯髄コア５を歯根部２に強固に植設することができる。
【００２９】
そのため、歯根部２の分岐部に歯髄コア５の下部を挿入して、分岐した歯髄部３にそれぞれ歯科用の充填材８を注入して抜髄部６に充填でき、歯髄部６にアンダーカット部が生じることなく、歯髄コア５と一体的に形成して歯根部２の歯牙欠損部を補綴することができる。
【００３０】
なお、歯根部２の上面を切頭台錐形状の凸状に突き出して切削し、歯髄コア２の下面部を帽子状の凹状に凹ませて切削し、歯根部２の上面の切頭台錐形状の凸状部に歯髄コア２の下面部の凹状部を嵌合して補綴するなど、本発明の上記した趣旨にもとずいて適宜な変形態様を実施することができる。
【産業上の利用可能性】
【００３１】
本発明は、歯科分野における虫歯等で歯牙部が欠損したり、歯の一部が喪失した歯の治療に適用できるものである。
【符号の説明】
【００３２】
１…歯        ２…歯根部          ３…歯髄        ４…歯冠部      ５…歯髄コア  ６…抜髄部    ７…抜髄部連通孔    ８…充填材      ９…補強用ポスト
【図１】
2017127583.tif 000003
【図２】
2017127583.tif 000004
【図３】
2017127583.tif 000005
【図４】
2017127583.tif 000006
【図５】
2017127583.tif 000007